(57)【要約】【課題】車輪の外径に合わせて車軸の位置を変え、車高を調節することができる走行玩具を提供する。【解決手段】走行玩具１は、玩具本体２と、玩具本体２に設けられた動力源３と、玩具本体２の前部に設けられた前車軸５と、玩具本体２の後部に設けられた後車軸６と、前車軸５の両側に設けられた前車輪７，７と、後車軸６の両側に設けられた後車輪９，９と、動力源３の動力を前車軸５と後車軸６の少なくとも一方に伝達する動力伝達手段１０とからなり、前車軸５と後車軸６の少なくとも一方の位置を調節することができる調節手段４０，１００Ｎ，１００Ｓが設けられている。【選択図】        図１３
2004222878.tif 000002
【特許請求の範囲】
【請求項１】
玩具本体と、玩具本体に設けられた動力源と、玩具本体の前後に設けられた少なくとも２つの車軸と、車軸の両側に設けられた車輪と、動力源の動力を少なくとも一つの車軸に伝達する動力伝達手段とからなり、
少なくとも一つの車軸の位置を調節することができる調節手段が設けられていることを特徴とする走行玩具。
【請求項２】
玩具本体と、玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなり、
前車軸と後車軸の少なくとも一方の位置を調節することができる調節手段が設けられていることを特徴とする走行玩具。
【請求項３】
調節手段が車軸を回動自在に軸受けする軸受け部材であって、車輪の外径に合わせて、車軸の高さ方向の位置を調節することができることを特徴とする請求項１又は２記載の走行玩具。
【請求項４】
軸受け部材は、玩具本体に着脱可能に形成され、略中心より一方側に位置がずれて車軸の軸受部が形成され、一方を下にして玩具本体に取り付けると車軸の位置が低くなり、一方を上にして玩具本体に取り付けると車軸の位置が高くなるようになっていることを特徴とする請求項３記載の走行玩具。
【請求項５】
軸受け部材には、玩具本体に取り付けられている方向を視認することができる第１の表示部が形成されていることを特徴とする請求項４記載の走行玩具。
【請求項６】
軸受け部材は、両側に突片を有し、該突片にはそれぞれ異なる第１の表示部が形成され、玩具本体に取り付けられた後、該第１の表示部により取り付けられている方向を視認することができるようになっていることを特徴とする請求項５記載の走行玩具。
【請求項７】
玩具本体には、軸受け部材の取り付けられている方向を示す第１の表示部のみを視認することができる切り欠きが形成されていることを特徴とする請求項５又は６記載の走行玩具。
【請求項８】
調節手段が少なくとも一つの車軸を回動自在に軸受けする調節枠であって、調節枠は、前記軸受け部材と反対側に配置され、軸受け部材の取り付けられる方向と対応するように形成され、一側に対応関係のある軸受け部材の第１の表示部と関連する第２の表示部が形成されていることを特徴とする請求項５、６又は７記載の走行玩具。
【発明の詳細な説明】
【０００１】
【発明の属する技術分野】
本願発明は、車輪の外径に合わせて玩具本体の高さを調節することができる走行玩具に関する。
【０００２】
【従来の技術】
従来の走行玩具は、玩具本体と、玩具本体に設けられた動力源と、玩具本体の前後部に設けられた前車軸及び後車軸と、前車軸及び後車軸の両側に設けられた前車輪及び後車輪と、動力源の動力を前車軸及び／又は後車軸に伝達する動力伝達手段とからなっている（例えば、特許文献１）。
【０００３】
【特許文献１】
特開２００２−２３９２５９号公報
【０００４】
【発明が解決しようとする課題】
上記従来の走行玩具は、車高が走行面に対して略平行となるように、前輪と後輪の外径に合わせて、車軸の位置が決められていたため、前輪と後輪のどちらか一方の外径を変えると、車高が走行面に対して傾くことになり、外観を損なうと共に、玩具本体が走行面に接触して、走行し難くなるという問題点があった。
【０００５】
本願発明は、上記問題点に鑑み発明されたものであって、前輪と後輪の外径を異なるように変えても、車軸の位置を調節し、車高を走行面に対して略平行に保ことができる走行玩具を提供することを目的とする。
【０００６】
【課題を解決するための手段】
本願請求項１記載の走行玩具は、上記目的を達成するため、玩具本体と、玩具本体に設けられた動力源と、玩具本体の前後に設けられた少なくとも２つの車軸と、車軸の両側に設けられた車輪と、動力源の動力を少なくとも一つの車軸に伝達する動力伝達手段とからなり、少なくとも一つの車軸の位置を調節することができる調節手段が設けられている。
【０００７】
本願請求項２記載の走行玩具は、上記目的を達成するため、玩具本体と、玩具本体に設けられた動力源と、玩具本体の前部に設けられた前車軸と、玩具本体の後部に設けられた後車軸と、前車軸の両側に設けられた前車輪と、後車軸の両側に設けられた後車輪と、動力源の動力を前車軸と後車軸の少なくとも一方に伝達する動力伝達手段とからなり、前車軸と後車軸の少なくとも一方の位置を調節することができる調節手段が設けられている。
【０００８】
本願請求項３記載の走行玩具は、上記目的を達成するため、調節手段が車軸を回動自在に軸受けする軸受け部材であって、車輪の外径に合わせて、車軸の高さ方向の位置を調節することができる。
【０００９】
本願請求項４記載の走行玩具は、上記目的を達成するため、軸受け部材は、玩具本体に着脱可能に形成され、略中心より一方側に位置がずれて車軸の軸受部が形成され、一方を下にして玩具本体に取り付けると車軸の位置が低くなり、一方を上にして玩具本体に取り付けると車軸の位置が高くなるようになっている。
【００１０】
本願請求項５記載の走行玩具は、軸受け部材に、玩具本体に取り付けられている方向を視認することができる第１の表示部が形成されている。
【００１１】
本願請求項６記載の走行玩具は、軸受け部材の両側に突片を有し、該突片にはそれぞれ異なる第１の表示部が形成され、軸受け部材が玩具本体に取り付けられた後、該第１の表示部により軸受け部材の取り付けられている方向を視認することができるようになっている。
【００１２】
本願請求項７記載の走行玩具は、玩具本体に、軸受け部材の取り付けられている方向を示す第１の表示部のみを視認することができる切り欠きが形成されている。
【００１３】
本願請求項８記載の走行玩具は、調節手段が少なくとも一つの車軸を回動自在に軸受けする調節枠であって、調節枠は、前記軸受け部材と反対側に配置され、軸受け部材の取り付けられる方向と対応するように形成され、一側に対応関係のある軸受け部材の第１の表示部と関連する第２の表示部が形成されている。
【００１４】
【発明の実施の形態】
本願発明に係る走行玩具の実施の形態を、図１乃至図１４に基づいて説明する。図１は、本願発明に係る走行玩具の一つの実施の形態を示す全体図であって、（ａ）は左側面図であり、（ｂ）は背面図である。図２は、図１の走行玩具の全体図であって、（ａ）は右側面図であり、（ｂ）は正面図である。図３は、図１の走行玩具の全体平面図である。図４は、図１の走行玩具の下枠体を説明する説明図である。図５は、図１の走行玩具の上枠体を説明する説明図である。図６は、図４の下枠体を説明する説明図である。図７は、図１の走行玩具の軸受け部材を説明する説明図である。図８は、図５の上枠体を説明する説明図である。
【００１５】
図９は、図１の走行玩具の調節枠Ｎを説明する説明図である。図１０は、図１の走行玩具の調節枠Ｓを説明する説明図である。図１１は、図１の走行玩具の要部分解側面図である。図１２は、図１の走行玩具の車輪を外した左側面図である。図１３は、図１の走行玩具の軸受け部材の取付状態を説明する説明図である。図１４は、図１の走行玩具の使用状態を説明する説明図である。
【００１６】
走行玩具１は、玩具本体２と、玩具本体２に設けられた動力源３と、玩具本体２の前後に設けられた少なくとも２つの車軸５，６と、車軸５，６の両側に設けられた車輪７，９と、動力源３の動力を少なくとも一つの車軸５（６）に伝達する動力伝達手段１０とからなり、少なくとも一つの車軸５（６）の位置を調節することができる調節手段４０，１００Ｎ，１００Ｓが設けられている。
【００１７】
さらに説明すると、走行玩具１は、玩具本体２と、玩具本体２に設けられた動力源３と、玩具本体２の前部に設けられた前車軸５と、玩具本体２の後部に設けられた後車軸６と、前車軸５の両側に設けられた前車輪７，７と、後車軸６の両側に設けられた後車輪９，９と、動力源３の動力を前車軸５と後車軸６の少なくとも一方に伝達する動力伝達手段１０とからなり、前車軸５と後車軸６の少なくとも一方の位置を調節することができる調節手段４０，１００Ｎ，１００Ｓが設けられている。
【００１８】
調節手段が車軸５（６）を回動自在に軸受けする軸受け部材４０であって、車輪７（９）の外径に合わせて、車軸５（６）の高さ方向の位置を調節することができる。この軸受け部材４０は、玩具本体２に着脱可能に形成され、略中心より一方４９側に位置がずれて車軸６の軸受部４７が形成され、一方４９を下にして玩具本体２に取り付けると車軸６の位置が低くなり、一方４９を上にして玩具本体２に取り付けると車軸６の位置が高くなるようになっている。
【００１９】
軸受け部材４０には、玩具本体２に取り付けられている方向を視認することができる第１の表示部５２，５３が形成されている。即ち、軸受け部材４０は、両側に突片４２，４３を有し、該突片４２，４３にそれぞれ異なる第１の表示部５２，５３が形成され、玩具本体２に取り付けられた後、該第１の表示部５２，５３により取り付けられている方向を視認することができるようになっている。なお、玩具本体２には、軸受け部材４０の取り付けられている方向を示す第１の表示部５２（５３）のみを視認することができる切り欠き３５，７９が形成されている。
【００２０】
調節手段が少なくとも一つの車軸５（６）を回動自在に軸受けする調節枠１００Ｎ（１００Ｓ）であって、調節枠１００Ｎ（１００Ｓ）は、前記軸受け部材４０と反対側に配置され、軸受け部材４０の取り付けられる方向と対応するように形成され、一側に対応関係のある軸受け部材４０の第１の表示部５３（５２）と関連する第２の表示部１１２Ｓ（１１２Ｎ）が形成されている。
【００２１】
さらに走行玩具について詳細に説明する。走行玩具１は、図１乃至図５に示すように、玩具本体２と、玩具本体２の内部に設けられた動力源３と、玩具本体２の前部に設けられた断面が多角形状の前車軸５と、玩具本体２の後部に設けられた断面が多角形状の後車軸６と、前車軸５の両側に設けられた前車輪７，７と、後車軸６の両側に設けられた後車輪９，９と、動力源３の動力を前車軸５と後車軸６の両方に伝達する動力伝達手段１０と、玩具本体２の上部に取り付けられる電池ボックス１１とからなる。
【００２２】
玩具本体２は、上下二分割され、下枠体１２と、下枠体１２に着脱自在に取り付けられる上枠体１３と、上枠体１３に取り付けられる調節枠１００Ｎ（１００Ｓ）とからなる。なお調節枠１００Ｎ（１００Ｓ）は、下枠体１２に取り付けられても構わない。下枠体１２は、図４，６に示すように、底壁１５と、底壁１５の左端に設けられた左壁１６と、左壁１６と略平行に設けられた前補助壁１７ａ及び後補助壁１７ｂと、底壁１５の右端に設けられた前右壁２１及び後右壁２２と、前補助壁１７ａと後補助壁１７ｂとの間及び前右壁２１と後右壁２２との間であって、左壁１６と略直角の仕切壁１９，２０を備えている。
【００２３】
仕切壁１９，２０と底壁１５によって形成される収納部２３内には、動力源である駆動モータ３の下部が収納される。左壁１６の前部及び前補助壁１７ａには、前車軸５を挿通する半円状の凹部２５，２６が形成されている。また、左壁１６の外側面には、前車軸５を回動自在に支持する、ボールベアリング等の軸受け体２７の下半分を嵌合する半円状の嵌合凹部２８を備えた突出部２９が形成されている。
【００２４】
左壁１６の後部及び後補助壁１７ｂには、後車軸６を挿通する半円状の凹部３０，３１が形成されている。また、左壁１６の外側面には、軸受け部材４０の下部を上から差し込んで固定する固定溝３２が形成されている。固定溝３２は、略Ｌ字状の係止枠３３によって形成されている。係止枠３３の前部には、切り欠き窓３５が形成されている。
【００２５】
軸受け部材４０は、図７に示すように、係合板４１を有する。係合板４１は、略中央両側に突片４２，４３が形成され、略中心より一方４９側（突片４２の略中心と突片４３の略中心を結ぶ線より上方側）に位置がずれて挿通孔４５が形成され、正面４６側に挿通孔４５と略同じ軸心の取付穴４７が形成されたボス部４８が設けられている。このボス部４８の取付穴４７には、後車軸６を回動自在に支持する、ボールベアリング等の軸受け体２７が嵌合して取り付けられる。
【００２６】
軸受け部材４０の突片４２，４３には、軸受け部材４０の取付方向を確認することができるＳ記号５２，Ｎ記号５３が形成されている。軸受け部材４０は、一方４９側を下にして前記固定溝３２に差し込んで固定すると、図１３（ａ）に示すように、切り欠き窓３５からＮ記号５３が確認でき、他方５０側を下にして前記固定溝３２に差し込んで固定すると、図１３（ｂ）に示すように、切り欠き窓３５からＳ記号５２が確認できる。Ｎ記号５３が確認できる場合は、取付穴４７の位置が走行面Ｇに対して低くなり、Ｓ記号５２が確認できる場合は、取付穴４７の位置が走行面Ｇに対して高くなる。
【００２７】
下枠体１２は、図４、６に示すように、左壁１６の外側面略中央に、略コ字状の係止部材５５が形成され、前右壁２１及び後右壁２２に係合凸起５７・・・が形成されている。また、下枠体１２は、上部に位置決めピン５９，５９が形成されている。
【００２８】
上枠体１３は、図５，８に示すように、上壁６０と、上壁６０の左端に設けられた左壁６１と、左壁６１と略平行に設けられた前補助壁６２ａ及び後補助壁６２ｂと、上壁６０の右端に設けられた右壁６３と、前補助壁６２ａと後補助壁６２ｂとの間であって、左壁６１と略直角の仕切壁６５，６６を備えている。
【００２９】
仕切壁６５，６６と上壁６０によって形成される収納部６７内には、動力源である駆動モータ３の上部が収納される。左壁６１の前部及び前補助壁６２ａには、前車軸５を挿通する半円状の凹部６９，７０が形成されている。また、左壁６１の外側面には、前車軸５を回動自在に支持する、ボールベアリング等の軸受け体２７の上半分を嵌合する半円状の嵌合凹部７１を備えた突出部７２が形成されている。
【００３０】
左壁６１の後部及び後補助壁６２ｂには、後車軸６を挿通する半円状の凹部７３，７４が形成されている。また、左壁６１の外側面には、軸受け部材４０の上部を下から差し込んで固定する固定溝７６が形成されている。固定溝７６は、略Ｌ字状の係止枠７７によって形成されている。係止枠７７の前部には、切り欠き窓７９が形成されている。
【００３１】
軸受け部材４０は、他方５０側を上にして前記固定溝７６に差し込んで固定すると、図１３（ａ）に示すように、切り欠き窓７９からＮ記号５３が確認でき、一方４９側を上にして前記固定溝７６に差し込んで固定すると、図１３（ｂ）に示すように、切り欠き窓７９からＳ記号５２が確認できる。Ｎ記号５３が確認できる場合は、取付穴４７の位置が走行面Ｇに対して低くなり、Ｓ記号５２が確認できる場合は、取付穴４７の位置が走行面Ｇに対して高くなる。
【００３２】
上枠体１３は、図５、８に示すように、左壁６１の外側面略中央に、係止突起８０が形成され、右壁６３に係合穴８１・・が形成されている。また、右壁６３には、略中央に前記駆動モータ３の駆動軸３ａを外側に突出させる開口８２が形成され、開口８２を挟んで両側に支軸８６，８７を嵌着する嵌着孔８３，８４が設けられている。また、右壁６３には、前記前車軸５を挿通する挿通孔８９が形成され、さらに前記後車軸６を挿通する縦長の長孔９０が形成されている。
【００３３】
上枠体１３は、右壁６３の外側面略中央上下に、一対の係止爪９１，９２が設けられ、下部に位置決め穴９３，９３が形成されている。上枠体１３は、下枠体１２の係合突起５７・・を係合穴８１・・に係合し、下枠体１２の位置決めピン５９，５９を位置決め穴９３，９３に差し込み、係止部材５５を係止突起８０に係止することにより、下枠体１２に取り付けられる。
【００３４】
上枠体１３の右壁６３には、係止爪９１，９２によって、調節枠１００Ｎ，１００Ｓが着脱自在に取り付けられる。調節枠１００Ｎは、図９に示すように、略中央上下に、前記係止爪９１，９２が着脱自在に係止される係止溝１０１，１０２が形成されている。また、前記支軸８６，８７の先端を嵌着する嵌着孔１０３，１０４が形成され、さらに前記前車軸５と後車軸６を挿通する挿通孔１０５，１０６Ｎが形成されている。なお、調節枠１００Ｎ，１００Ｓは、上枠体１３の右壁６３に、ネジ等の固定手段によって取り付けても構わない。
【００３５】
調節枠１００Ｎの内側面及び外側面には、挿通孔１０５と略同一軸心となる嵌合凹部１０７，１０８が形成され、さらに挿通孔１０６Ｎと略同一軸心となる嵌合凹部１１０Ｎ，１１１Ｎが形成されている。嵌合凹部１０７，１０８，１１０Ｎ，１１１Ｎには、前記軸受け体２７が嵌合して取り付けられる。なお、本実施の形態では、調節枠１００Ｎの外側面側に位置する嵌合凹部１０８，１１１Ｎに軸受け体２７が取り付けられるようになっている。調節枠１００Ｎは、挿通孔１０５と１０６Ｎの高さが、略同じとなるように設定されている。
【００３６】
調節枠１００Ｓは、図１０に示すように、調節枠１００Ｎと同様に構成され、後車軸６を挿通する挿通孔１０６Ｓの高さが高い位置に形成されている。調節枠１００Ｓの内側面及び外側面には、挿通孔１０６Ｓと略同一軸心となる嵌合凹部１１０Ｓ，１１１Ｓが形成されている。嵌合凹部１１０Ｓ，１１１Ｓには、前記軸受け体２７が嵌合して取り付けられる。なお、本実施の形態では、調節枠１００Ｓの外側面側に位置する嵌合凹部１０８，１１１Ｓに軸受け体２７が取り付けられるようになっている。調節枠１００Ｓは、挿通孔１０６Ｓの高さが挿通孔１０５より高くなるように設定されている。
【００３７】
調節枠１００Ｎの外側面には、Ｎ記号（第２の表示部）１１２Ｎが形成されている。このＮ記号（第２の表示部）１１２Ｎは、軸受け部材４０の取り付けられる方向と対応関係にある調節枠１００Ｎを示すものであり、軸受け部材４０のＮ記号（第１の表示部）５３と関連するようになっている。調節枠１００Ｓの外側面には、Ｓ記号（第２の表示部）１１２Ｓが形成されている。このＳ記号（第２の表示部）１１２Ｓは、軸受け部材４０の取り付けられる方向と対応関係にある調節枠１００Ｓを示すものであり、軸受け部材４０のＳ記号（第１の表示部）５２と関連するようになっている。
【００３８】
動力伝達手段１０は、調節枠１００Ｎ又は調節枠１００Ｓ内に設けられている。動力伝達手段１０は、駆動モータ３の駆動軸３ａに取り付けられる駆動歯車１１５と、支軸８６に回動自在に取り付けられ、前記駆動歯車１１５と噛み合う中間平歯車１１６と、中間平歯車１１６と一体の中間小歯車１１７と、前車軸５に固定して取り付けられ、中間小歯車１１７と噛み合う従動歯車１１９と、支軸８７に回動自在に取り付けられ、前記駆動歯車１１５と噛み合う中間平歯車１２０と、中間平歯車１２０と一体の中間小歯車１２１と、後車軸６に固定して取り付けられ、中間小歯車１２１と噛み合う従動歯車１２２とで構成されている。
【００３９】
電池ボックス１１は、上枠体１３に、ネジ、係止爪等の固定手段によって取り付けられ、内部に電池等の電源が設けられている。この電池ボックス１１内の電源は、図示しないスイッチと、前記駆動モータ３と電気的に接続され、電気回路を構成している。
【００４０】
次に走行玩具１の組立について説明する。下枠体１２の収納部２３内に駆動モータ３を取り付ける。左壁１６の嵌合凹部２８に軸受け体２７の下側を嵌合する。この軸受け体２７に前車軸５を挿入するようにして、左壁１６の凹部２５及び前補助壁１７ａの凹部２６に前車軸５を遊嵌する。軸受け部材４０の取付穴４７に軸受け体２７を嵌合して取り付け、図１１に示すように、一方４９側を下にして左壁１６の固定溝３２に差し込んで固定する。軸受け部材４０の軸受け体２７に後車軸６を挿入するようにして、左壁１６の凹部３０及び後補助壁１７ｂの凹部３１に後車軸６を遊嵌する。
【００４１】
上枠体１３は、前車軸５を挿通孔８９に挿通し、後車軸６を長孔９０に挿通し、駆動モータ３の駆動軸３ａを開口８２から突出させるようにして、下枠体１２の係合突起５７・・に係合穴８１・・を係合し、下枠体１２の位置決めピン５９，５９に位置決め穴９３，９３を差し込み、係止部材５５を係止突起８０に係止させることにより、下枠体１２に取り付ける。
【００４２】
図１３（ａ）に示すように、切り欠き窓３５，７９からＮ記号５３が確認できるので、調節枠１００Ｎの外側面側に位置する嵌合凹部１０８，１１１Ｎに軸受け体２７を取り付け、上枠体１３の右壁６３に、係止爪９１，９２によって、Ｎ記号（第２の表示部）１１２Ｎが形成された調節枠１００Ｎを着脱自在に取り付ける。
【００４３】
調節枠１００Ｎの嵌合凹部１０８に取り付けられる軸受け体２７と下枠体１２の嵌合凹部２８に取り付けられる軸受け体２７との高さ方向の位置が同じであり、調節枠１００Ｎの嵌合凹部１１１Ｎに取り付けられる軸受け体２７と下枠体１２の軸受け部材４０の取付穴４７に取り付けられる軸受け体２７との高さ方向の位置が同じであるので、図１に示すように、前車軸５と後車軸６が略同じ高さとなり、同じ外径の前車輪７，７と後車輪９，９を取り付けることにより、玩具本体２が走行面と略平行となる。電池ボックス１１は、上枠体１３に、ネジ、係止爪等の固定手段によって取り付けることができる。
【００４４】
前車輪７，７の外径より大きい外径の後車輪９Ａ，９Ａを後車軸６に取り付けると、図１４（ａ）に示すように、玩具本体２の後部が持ち上がって、玩具本体２が前方に傾き、見た目が悪くなり、玩具本体２が走行面Ｇに接触し易くなる。係る場合には、後車軸６の高さを変えることによって解消することができる。
【００４５】
上記組立において、軸受け部材４０の取付穴４７に軸受け体２７を嵌合して取り付け、図１３（ｂ）に示すように、他方５０側を下にして左壁１６の固定溝３２に差し込んで固定する。軸受け部材４０の軸受け体２７に後車軸６を挿入するようにして、左壁１６の凹部３０及び後補助壁１７ｂの凹部３１に後車軸６を遊嵌する。
【００４６】
図１３（ｂ）に示すように、切り欠き窓３５，７９からＳ記号５２が確認できるので、調節枠１００Ｓ外側面側に位置する嵌合凹部１０８，１１１Ｓに軸受け体２７を取り付け、上枠体１３の右壁６３に、係止爪９１，９２によって、Ｓ記号（第２の表示部）１１２Ｓが形成された調節枠１００Ｓを着脱自在に取り付ける。
【００４７】
調節枠１００Ｓの嵌合凹部１０８に取り付けられる軸受け体２７と下枠体１２の嵌合凹部２８に取り付けられる軸受け体２７との高さ方向の位置が同じであり、調節枠１００Ｓの嵌合凹部１１１Ｓに取り付けられる軸受け体２７と下枠体１２の軸受け部材４０の取付穴４７に取り付けられる軸受け体２７との高さ方向の位置が同じであるが、調節枠１００Ｓの嵌合凹部１０８及び下枠体１２の嵌合凹部２８に取り付けられる軸受け体２７の高さ方向の位置より、調節枠１００Ｓの嵌合凹部１１１Ｓ及び下枠体１２の軸受け部材４０の取付穴４７に取り付けられる軸受け体２７との高さ方向の位置が高くなるため、前車軸５より後車軸６の方が高くなる。
【００４８】
上述したように、前車輪７，７の外径より大きい外径の後車輪９Ａ，９Ａを後車軸６に取り付けると、図１４（ｂ）に示すように、玩具本体２が走行面と略平行となり、見た目が良くなり、玩具本体２が走行面Ｇに接触し難くなる。このように、後車軸６の高さを、軸受け部材４０及び調節枠１００Ｎ、１００Ｓによって調節することができる。
【００４９】
走行玩具１は、図示しないスイッチをオンにすると、駆動モータ３が駆動して、駆動軸３ａが回転し、駆動軸３ａの回転が、駆動歯車１１５、中間平歯車１１６、中間小歯車１１７、従動歯車１１９、前車軸５に伝達され、前車輪７，７が回転する。同様に、駆動軸３ａが回転し、駆動軸３ａの回転が、駆動歯車１１５、中間平歯車１２０、中間小歯車１２１、従動歯車１２２、後車軸６に伝達され、後車輪９，９が回転する。
【００５０】
走行玩具１は、いわゆる４輪駆動タイプなので、滑りやすい走行路面でも確実に走行させることができるが、前車輪７，７より外径の大きい後車輪９，９を取り付けると、前車輪７，７と後車輪９，９の外周の速度が異なるため、前車輪７，７及び／又は後車輪９，９が走行面に対してスリップし、走行方向が不安定で、極めて面白い走行を行わせることができる。
【００５１】
【発明の効果】
以上説明してきたように、本願請求項１、２記載の走行玩具は、玩具本体と、玩具本体に設けられた動力源と、玩具本体の前後に設けられた少なくとも２つの車軸と、車軸の両側に設けられた車輪と、動力源の動力を少なくとも一つの車軸に伝達する動力伝達手段とからなり、少なくとも一つの車軸の位置を調節することができる調節手段が設けられているので、この調節手段により、取り付ける車輪の外径に合わせて、車軸の位置を調節することができ、玩具本体の車高を走行面に対して略一定に保つことができるという効果がある。
【００５２】
本願請求項３記載の走行玩具は、上記効果に加え、前記調節手段が  車軸を回動自在に軸受けする軸受け部材であるので、構造が簡単で安価であり、容易に車輪の外径に合わせて、車軸の高さ方向の位置を調節することができるという効果がある。
【００５３】
本願請求項４記載の走行玩具は、上記効果に加え、軸受け部材の取り付ける方向を変えるだけで、車軸の高さ方向の位置を調節することができるので、複数の軸受け部材を準備しておく手間が省け、組立が容易となり、製造コストの低廉化を図ることができるという効果がある。
【００５４】
本願請求項５，６記載の走行玩具は、上記効果に加え、軸受け部材に、玩具本体に取り付けられている方向を視認することができる第１の表示部が形成されているので、軸受け部材の取り付け方向の間違いを少なくすることができるという効果がある。
【００５５】
本願請求項７記載の走行玩具は、上記効果に加え、玩具本体には、軸受け部材の取り付けられている方向を示す第１の表示部のみを視認することができる切り欠きが形成されているので、軸受け部材の取り付け方向を見誤ることなく確実に理解することができるという効果がある。
【００５６】
本願請求項８記載の走行玩具は、上記効果に加え、調節手段が少なくとも一つの車軸を回動自在に軸受けする調節枠であって、調節枠は、前記軸受け部材と反対側に配置され、軸受け部材の取り付けられる方向と対応するように形成され、一側に対応関係のある軸受け部材の第１の表示部と関連する第２の表示部が形成されているので、調節枠を玩具本体に間違って取り付けることがないという効果がある。
【図面の簡単な説明】
【図１】本願発明に係る走行玩具の一つの実施の形態を示す全体図であって、（ａ）は左側面図であり、（ｂ）は背面図である。
【図２】図１の走行玩具の全体図であって、（ａ）は右側面図であり、（ｂ）は正面図である。
【図３】図１の走行玩具の全体平面図である。
【図４】図１の走行玩具の下枠体を説明する説明図である。
【図５】図１の走行玩具の上枠体を説明する説明図である。
【図６】図４の下枠体を説明する説明図である。
【図７】図１の走行玩具の軸受け部材を説明する説明図である。
【図８】図５の上枠体を説明する説明図である。
【図９】図１の走行玩具の調節枠Ｎを説明する説明図である。
【図１０】図１の走行玩具の調節枠Ｓを説明する説明図である。
【図１１】図１の走行玩具の要部分解側面図である。
【図１２】図１の走行玩具の車輪を外した左側面図である。
【図１３】図１の走行玩具の軸受け部材の取付状態を説明する説明図である。
【図１４】図１の走行玩具の使用状態を説明する説明図である。
【符号の説明】
１  走行玩具
２  玩具本体
３  動力源（駆動モータ）
３ａ  駆動軸
５  前車軸
６  後車軸
７  前車輪
９  後車輪
９Ａ  後車輪
１０  動力伝達手段
１１  電池ボックス
１２  下枠体
１３  上枠体
１５  底壁
１６  左壁
１７ａ  前補助壁
１７ｂ  後補助壁
１９  仕切壁
２０  仕切壁
２１  前右壁
２２  後右壁
２３  収納部
２５  凹部
２６  凹部
２７  軸受け体
２８  嵌合凹部
２９  突出部
３０  凹部
３１  凹部
３２  固定溝
３３  係止枠
３５  切り欠き窓
４０  軸受け部材（調節手段）
４１  係合板
４２  突片
４３  突片
４５  挿通孔
４６  正面
４７  取付穴
４８  ボス部
４９  一方
５０  他方
５２  Ｓ記号（第１の表示部）
５３  Ｎ記号（第１の表示部）
５５  係止部材
５７  係合凸起
５９  位置決めピン
６０  上壁
６１  左壁
６２ａ  前補助壁
６２ｂ  後補助壁
６３  右壁
６５  仕切壁
６６  仕切壁
６７  収納部
６９  凹部
７０  凹部
７１  嵌合凹部
７２  突出部
７３  凹部
７４  凹部
７６  固定溝
７７  係止枠
７９  切り欠き窓
８０  係止突起
８１  係合穴
８２  開口
８３  嵌着孔
８４  嵌着孔
８６  支軸
８７  支軸
８９  挿通孔
９０  長孔
９１  係止爪
９２  係止爪
９３  位置決め穴
１００Ｎ  調節枠（調節手段）
１００Ｓ  調節枠（調節手段）
１０１  係止溝
１０２  係止溝
１０３  嵌着孔
１０４  嵌着孔
１０５  挿通孔
１０６Ｎ  挿通孔
１０６Ｓ  挿通孔
１０７  嵌合凹部
１０８  嵌合凹部
１１０Ｎ  嵌合凹部
１１０Ｓ  嵌合凹部
１１１Ｎ  嵌合凹部
１１１Ｓ  嵌合凹部
１１２Ｎ  Ｎ記号（第２の表示部）
１１２Ｓ  Ｓ記号（第２の表示部）
１１５  駆動歯車
１１６  中間平歯車
１１７  中間小歯車
１１９  従動歯車
１２０  中間平歯車
１２１  中間小歯車
１２２  従動歯車
【図１】
2004222878.tif 000003
【図２】
2004222878.tif 000004
【図３】
2004222878.tif 000005
【図４】
2004222878.tif 000006
【図５】
2004222878.tif 000007
【図６】
2004222878.tif 000008
【図７】
2004222878.tif 000009
【図８】
2004222878.tif 000010
【図９】
2004222878.tif 000011
【図１０】
2004222878.tif 000012
【図１１】
2004222878.tif 000013
【図１２】
2004222878.tif 000014
【図１３】
2004222878.tif 000015
【図１４】
2004222878.tif 000016